(57)【特許請求の範囲】
【請求項１】
二次元直交座標において、基準座標を（０，０）としたとき、整数ｍ、ｎを用いて表される座標（ｍ、ｎ）のうち、｜ｍ｜＋｜ｎ｜が偶数となるような格子点に感光素子が存在する二次元カラー固体撮像素子であって、
前記感光素子のうち、
主として輝度成分を得るための第１の感光素子が、
|ｍ|＋|ｎ|＝４ｊ  （ｊは自然数）
となる位置にあり、
主として色相成分を得るための第２の感光素子が、
|ｍ|＋|ｎ|＝２（２ｊ＋１）
かつ  ||ｍ|−|ｎ||＋２ｊ＝４ｋ  （ｋは整数）
となる位置にあり、
主として前記色相成分とは異なる色相成分を得るための第３の感光素子が、
|ｍ|＋|ｎ|＝２（２ｊ＋１）
かつ  ||ｍ|−|ｎ||＋２ｊ＝４ｋ＋２
となる位置にある色配列を有する二次元カラー固体撮像素子。
【請求項２】
請求項１記載の二次元カラー固体撮像素子であって、
|ｍ|＝|ｎ|＝４ｈ  （ｈは自然数）
で囲まれる領域を単位格子とした色配列を有する二次元カラー固体撮像素子。
【請求項３】
請求項１又は請求項２記載の二次元カラー固体撮像素子であって、
前記第１の感光素子が緑色に対して分光感度を有し、
前記第２、第３の感光素子が赤色、青色に対して分光感度を有する二次元カラー固体撮像素子。
【請求項４】
請求項１〜請求項３のいずれか１項記載の二次元カラー固体撮像素子であって、
前記撮像素子が、電荷結合型固体撮像素子である二次元カラー固体撮像素子。
【請求項５】
請求項１〜請求項３のいずれか１項記載の二次元カラー固体撮像素子であって、
前記撮像素子が、ＣＭＯＳ型固体撮像素子である二次元カラー固体撮像素子。
【発明の詳細な説明】
【技術分野】
【０００１】
本発明は、受光素子が二次元配列された二次元カラー固体撮像素子に関し、特に、縦線欠陥や横線欠陥が発生した場合であっても補完処理が容易に可能となる改良技術に関する。
【背景技術】
【０００２】
撮像素子の高集積化に伴って解像度を向上させる工夫の一つに、複数の受光素子を各行毎に半ピッチ分ずらして配置する、所謂ハニカム構造の二次元カラー固体撮像素子が知られている（例えば特許文献１参照）。この二次元カラー固体撮像素子では、受光素子の配置スペースを広く確保でき、また、素子間隔が短縮化できるため、感度及び解像度が正方格子配列よりも向上する。
【０００３】
上記二次元カラー固体撮像素子における撮像画像の評価としては、上述した感度、解像度とは別に色評価要素がある。二次元カラー固体撮像素子の各受光素子は、カラー撮像する場合に、カラーフィルタを透過した被写体からの光を光電変換し、各カラーフィルタを透過した各色の光成分を、赤、緑、青成分毎に抽出している。また、この種の二次元カラー固体撮像素子においては、高解像度の輝度成分を得るため、感光素子の一部（例えば緑色の感光素子）を輝度成分抽出用として利用している。
【特許文献１】特開２０００−１２５３１１号公報
【発明の開示】
【発明が解決しようとする課題】
【０００４】
上述のように、従来のハニカム配列にした二次元カラー固体撮像素子は、感光素子の配列密度を高めることで、輝度成分の水平解像度、垂直解像度を高めている。ここで、ハニカム構造の二次元カラー固体撮像素子を、各感光素子の色配列の観点から考える。図１１（ａ）に示す配列パターンでは、緑色の感光素子Ｇが二次元直交座標の横方向の線Ｌ１、及び縦方向の線Ｌ２に沿って隣接して連続的に配列されている。また、図１１（ｂ）に示す配列パターンでは、緑色の感光素子Ｇ（及び、赤色の感光素子Ｒ、青色の感光素子Ｂ）が横方向の線Ｌ３に沿って連続的に配列されるとともに、緑色の感光素子Ｇは縦方向の線Ｌ４に沿って連続的に配列されている。
ところで、二次元カラー固体撮像素子の製造工程では、ウェハ搬送時等の移動方向が製造装置に応じて限られることから、特に縦方向、横方向に傷などの欠陥が発生することがある。この欠陥としては点状のものの他、線状のものも発生し得る。このような縦又は横方向の線状欠陥が発生したとき、その方向の線Ｌ１，Ｌ２，Ｌ３，Ｌ４上に同色の色の受光素子Ｐが連続して配置されていると、撮像後の補間処理の際に同色同士の距離が長くなってしまい、情報の欠落度合いが大きくなった。
本発明は上記状況に鑑みてなされたもので、縦線欠陥や横線欠陥が発生した場合であっても、補完処理を容易に行うことができる二次元カラー固体撮像素子を提供し、もって、線状欠陥に対する品質低下の確率を低く抑え、色再現性の向上を図ることを目的とする。
【課題を解決するための手段】
【０００５】
本発明に係る上記目的は、下記構成により達成される。
（１）  二次元直交座標において、基準座標を（０，０）としたとき、整数ｍ、ｎを用いて表される座標（ｍ、ｎ）のうち、｜ｍ｜＋｜ｎ｜が偶数となるような格子点に感光素子が存在する二次元カラー固体撮像素子であって、
前記感光素子のうち、
主として輝度成分を得るための第１の感光素子が、
|ｍ|＋|ｎ|＝４ｊ  （ｊは自然数）
となる位置にあり、
主として色相成分を得るための第２の感光素子が、
|ｍ|＋|ｎ|＝２（２ｊ＋１）
かつ  ||ｍ|−|ｎ||＋２ｊ＝４ｋ  （ｋは整数）
となる位置にあり、
主として前記色相成分とは異なる色相成分を得るための第３の感光素子が、
|ｍ|＋|ｎ|＝２（２ｊ＋１）
かつ  ||ｍ|−|ｎ||＋２ｊ＝４ｋ＋２
となる位置にある色配列を有する二次元カラー固体撮像素子。
【０００６】
この二次元カラー固体撮像素子によれば、輝度成分を得るための感光素子が、二次元直交座標の基準座標（０，０）を中心に４５度回転させた斜めに配列され、縦方向、横方向に同色の感光素子が並ばないことから、色相成分を得るための感光素子の割合を変えることがなく、製造工程に発生した縦線欠陥や横線欠陥に対しても、損失する色が特定の色に偏ることがなくなる。これにより、損失感光素子の近傍に同色感光素子が存在しなくなることを防止でき、近傍の同色感光素子を用いた損失感光素子の補完処理が容易となる。
【０００７】
（２）  （１）項記載の二次元カラー固体撮像素子であって、
|ｍ|＝|ｎ|＝４ｈ  （ｈは自然数）
で囲まれる領域を単位格子とした色配列を有する二次元カラー固体撮像素子。
【０００８】
この二次元カラー固体撮像素子によれば、|ｍ|＝|ｎ|＝４ｈで囲まれる領域を単位格子とし、この単位格子を複数有して色配列が構成されることで、第１の感光素子が単一の斜め方向へ連続する配列であることを緩和し、斜め方向に生じやすい固定パターンノイズが防止される。また、自然数ｈが２，３…と増加することで、連続して同色が繋がる長さが短縮でき、画像品質の低下が更に小さくなる。
【０００９】
（３）  （１）項又は（２）項記載の二次元カラー固体撮像素子であって、
前記第１の感光素子が緑色に対して分光感度を有し、
前記第２、第３の感光素子が赤色、青色に対して分光感度を有する二次元カラー固体撮像素子。
【００１０】
この二次元カラー固体撮像素子によれば、第１の感光素子、第２の感光素子、第３の感光素子のそれぞれが、緑色、赤色、青色の波長帯域に対して分光感度を有することで、三原色の二次元カラー固体撮像素子を実現することができる。また、緑色の第１の感光素子から輝度成分を得ることによって、水平解像度及び垂直解像度の高い輝度成分が得られる。
【００１１】
（４）  （１）項〜（３）項のいずれか１項記載の二次元カラー固体撮像素子であって、
前記撮像素子が、電荷結合型固体撮像素子である二次元カラー固体撮像素子。
【００１２】
この二次元カラー固体撮像素子によれば、各感光素子同士の間にはＣＣＤ構造の垂直転送レジスタが感光素子列に沿って設けられ、光電変換を行う感光素子から読み出した信号電荷が垂直転送レジスタの列終端へ転送される。それぞれの垂直転送レジスタの転送終端には水平転送レジスタが接続され、水平転送レジスタの出力側からは変換した１画素ずつの信号電圧が出力される。
【００１３】
（５）  （１）項〜（３）項のいずれか１項記載の二次元カラー固体撮像素子であって、
前記撮像素子が、ＣＭＯＳ型固体撮像素子である二次元カラー固体撮像素子。
【００１４】
この二次元カラー固体撮像素子によれば、垂直走査回路と水平走査回路及び選択回路が設けられ、各感光素子は、垂直走査回路より延設された選択線と選択回路より延設された呼出し線との間に介設されたスイッチング素子に接続される。垂直走査回路が、所定の垂直走査タイミングに同期した垂直走査信号を各選択線に供給することにより感光素子が選択され、更に、水平走査回路が所定の水平走査タイミングに同期した水平走査信号で選択回路中のスイッチング素子を順次にオン・オフ動作させることにより、各選択線で選択された感光素子に生じている各画素信号が各呼出し線を通じて外部へ読み出される。
【発明の効果】
【００１５】
本発明に係る二次元カラー固体撮像素子によれば、座標（ｍ、ｎ）のうち、｜ｍ｜＋｜ｎ｜が偶数となるような格子点に受光画素を有する色配列構造のカラー撮像素子において、第１の感光素子が|ｍ|＋|ｎ|＝４ｊ、第２の感光素子が|ｍ|＋|ｎ|＝２（２ｊ＋１）かつ  ||ｍ|−|ｎ||＋２ｊ＝４ｋ、第３の感光素子が|ｍ|＋|ｎ|＝２（２ｊ＋１）かつ  ||ｍ|−|ｎ||＋２ｊ＝４ｋ＋２となる位置にあるので、輝度成分を得るための感光素子が、二次元直交座標の基準座標（０，０）を中心に４５度回転させた斜め方向に配列され、縦方向、横方向に同色の感光素子が連続して並ばない。したがって、色相成分を得るための感光素子の割合を変えることなく、製造工程に発生した縦線欠陥や横線欠陥に対しても、損失する色が特定の色に偏ることを防止できる。これにより、損失感光素子の近傍に同色感光素子が集中することが緩和され、近傍の同色感光素子を用いた損失感光素子の補完処理が容易となる。つまり、線状の欠陥が発生しても、撮像画像の品質が低下する確率を低く抑えることができる。この結果、縦方向若しくは横方向に生じる欠陥に強く、色再現性に富んだ二次元カラー固体撮像素子を得ることができる。
【発明を実施するための最良の形態】
【００１６】
以下、本発明に係る二次元カラー固体撮像素子の好適な実施の形態について、図面を参照して詳細に説明する。
図１は本発明に係る二次元カラー固体撮像素子の受光領域を模式的に表した要部拡大平面図である。
本実施の形態に係る二次元カラー固体撮像素子は、電荷結合型固体撮像素子（ＣＣＤ）やＭＯＳ型固体撮像素子を含めた各種の撮像素子に適用される。
【００１７】
この二次元カラー固体撮像素子の受光領域１１には、複数の受光素子を各行毎に半ピッチ分ずらして配置する、所謂ハニカム構造で形成されている。受光画素は、主として輝度成分を抽出するための感光特性を有する多数の第１の感光素子Ｇと、主として色相成分を抽出するための感光特性を有する多数の第２、第３の感光素子Ｒ，Ｂとからなる。感光素子Ｇ，Ｒ，Ｂは、それら自体が受光領域１１を構成する素地として形成されている。
【００１８】
図２は図１に示す感光素子を二次元直交座標上で表した説明図である。
感光素子は、原点（０，０）を中心に、水平方向ｍに対して偶数列で配置され、垂直方向ｎに対して偶数行に配置されている。また、感光素子は、奇数行に対しては、奇数列毎に配置され、各奇数行（又は偶数行）に配列された感光素子に対して、各偶数行（又は奇数行）の感光素子が位相差である半ピッチ分の位置ずれを持って形成されている。
【００１９】
この色配列により、水平方向ｍと垂直方向ｎに配列された感光素子Ｇ，Ｒ，Ｂのそれぞれの最小画素ピッチ（サンプリング点間の距離）がδｍ，δｎとなっており、この画素ピッチδｍ，δｎが受光領域１１における水平解像度と垂直解像度を規定している。また、斜め±４５゜の方向における各感光素子Ｇ，Ｒ，Ｂの配列についても均一な画素ピッチとなっている。
【００２０】
換言すれば、二次元カラー固体撮像素子は、図２に示した二次元直交座標において、基準座標を（０，０）としたとき、整数ｍ、ｎを用いて表される座標（ｍ、ｎ）のうち、｜ｍ｜＋｜ｎ｜が偶数となるような格子点に受光画素である感光素子が存在する列を有する。
【００２１】
ここで、本実施の形態による二次元カラー固体撮像素子の各感光素子を図２に示す座標系で表現しながら詳細に説明する。
図３は図１に示した感光素子のうち、第１の感光素子としての緑色Ｇの色配列を模式的に表した要部拡大平面図である。図３に示すように、各感光素子のうち、主として輝度成分を得るための第１の感光素子Ｇは、図３にハッチ部分で示すように、
|ｍ|＋|ｎ|＝４ｊ  （ｊは自然数）
となる位置にある。即ち、原点（０，０）を中心に同心状に四角形Ｖ状に配置され、ｊの値は原点から外側に離れるほど大きい値となっている。
【００２２】
図４は図１に示した第２の感光素子と第３の感光素子との色配列を模式的に表した要部拡大平面図である。
図４にハッチ部分で示すように、主として色相成分を得るための第２の感光素子Ｒ、第３の感光素子Ｂは、
|ｍ|＋|ｎ|＝２（２ｊ＋１）
となる位置に混在して配列されている。図４は先述の図３を反転した配列となっており、同心状に四角形Ｕ状に配置されている。また、ｊの値は原点から外側に離れるほど大きい値となっている。
【００２３】
図５は図４に示した感光素子のうち、第２の感光素子のみの色配列を模式的に表した要部拡大平面図、図６は図４に示した第３の感光素子のみの色配列を模式的に表した要部拡大平面図である。
ここで、混在して配列される第２の感光素子Ｒ、第３の感光素子Ｂを更に分解してその配列を特定すれば、第２の感光素子Ｒは、図５にハッチ部分で示すように、
|ｍ|＋|ｎ|＝２（２ｊ＋１）
かつ  ||ｍ|−|ｎ||＋２ｊ＝４ｋ  （ｋは整数）
となる位置にある。
【００２４】
また、第３の感光素子Ｂは、図６にハッチ部分で示すように、
|ｍ|＋|ｎ|＝２（２ｊ＋１）
かつ  ||ｍ|−|ｎ||＋２ｊ＝４ｋ＋２
となる位置にある。
【００２５】
つまり、この二次元カラー固体撮像素子の色配列は、二次元直交座標（ｍ，ｎ）の原点（０，０）に第１の感光素子Ｇが配置され、この原点の第１の感光素子Ｇを中心に、第２、第３の感光素子Ｒ，Ｂからなる菱形の枠状配列Ｕ（図４参照）と、第１の感光素子Ｇからなる菱形の枠状配列Ｖ（図３参照）とが、交互に同心状に配置される。第２、第３の感光素子Ｒ，Ｂからなる菱形の枠状配列Ｕ内では、第２、第３の感光素子Ｒ，Ｂが図５，図６に示すように、交互に配列される。
【００２６】
各図の原点（ｍ，ｎ）＝（０，０）の点は、見た目上、受光領域１１の中央が好ましいが、受光領域１１の任意の位置であってもよい。なお、図示の配列全体を１つの象限とすれば、補間処理がより簡単となる。ただし、補間処理は任意に対応が可能なため、本実施の形態による色配列の原点（ｍ，ｎ）は特定位置に限定されるものではない。
【００２７】
この二次元カラー固体撮像素子の色配列では、図１に示すように、輝度成分を得るための第１の感光素子Ｇが、二次元直交座標の基準座標（０，０）を中心に４５度回転させた斜めに配列（菱形の枠状に配列）され、縦方向、横方向に同色の感光素子Ｇ，Ｒ，Ｂが連続して並ばない。このことから、色相成分を得るための感光素子の割合を変えることなく、製造工程に発生した縦線欠陥や横線欠陥に対しても、損失する色が特定の色に偏ることを防止することができる。これにより、損失感光素子の近傍に同色感光素子が集中して存在することが抑制でき、近傍の同色感光素子を用いた損失感光素子の補完処理が容易となる。
【００２８】
また、二次元カラー固体撮像素子は、第１の感光素子Ｇが緑色に対して分光感度を有し、第２、第３の感光素子Ｒ，Ｂが赤色、青色に対して分光感度を有する。すなわち、感光素子Ｇの斜め升目状に配列されている間に、他の感光素子Ｒ，Ｂが配置され、これによって、受光領域１１内において各色の感光素子が均等に配列する構成となっているため、感光素子Ｇ，Ｒ，Ｂによる３つの色ベクトルが均等に得られ、優れたサンプリング特性が達成される。また、緑色の第１の感光素子Ｇから輝度成分を得ることによって、水平解像度及び垂直解像度の高い輝度成分が得られる。
【００２９】
したがって、本実施の形態による二次元カラー固体撮像素子によれば、座標（ｍ、ｎ）のうち、｜ｍ｜＋｜ｎ｜が偶数となるような格子点に受光画素を有するハニカム構造のカラー撮像素子において、第１の感光素子Ｇが|ｍ|＋|ｎ|＝４ｊ、第２の感光素子Ｒが|ｍ|＋|ｎ|＝２（２ｊ＋１）かつ  ||ｍ|−|ｎ||＋２ｊ＝４ｋ、第３の感光素子Ｂが|ｍ|＋|ｎ|＝２（２ｊ＋１）かつ  ||ｍ|−|ｎ||＋２ｊ＝４ｋ＋２となる位置にあるので、輝度成分を得るための感光素子Ｇが、二次元直交座標の基準座標（０，０）を中心に４５度回転させた斜めに配列され、縦方向、横方向に同色の感光素子Ｇ，Ｒ，Ｂが連続して並ばない。したがって、仮に製造工程で固体撮像素子に縦方向又は横方向の連続欠陥が発生しても、この欠陥による撮像画像への影響を最小限に抑えることができ、常に高品位な撮像画像を得ることができる。この結果、縦方向若しくは横方向に生じる欠陥に強く、色再現性に富んだ二次元カラー固体撮像素子を得ることができる。
【００３０】
次に、本発明に係る二次元カラー固体撮像素子の単位格子を設定した実施の形態を説明する。
本実施形態においては、前述の規定に基づく色配列に対し、その一部の配列を単位格子として、色配列をこの単位格子の繰り返しパターンとしている。
具体的には、本実施形態の二次元カラー固体撮像素子は、上述した色配列において、
|ｍ|＝|ｎ|＝４ｈ  （ｈは自然数）
で囲まれる領域を単位格子とした色配列を有している。
【００３１】
ここで、図７は自然数ｈ＝１の場合の第１、第２及び第３の感光素子の色配列を模式的に表した要部拡大平面図、図８はｈ＝２の場合の第１、第２及び第３の感光素子の色配列を模式的に表した要部拡大平面図、図９はｈ＝３の場合の第１、第２及び第３の感光素子の色配列を模式的に表した要部拡大平面図である。
【００３２】
例えば、ｈ＝１では、図７に示すように、単位格子である座標（０，４）の位置を頂角とする菱形の枠状配列Ｗ１が、最外周の枠状配列（Ｇのみによる菱枠状配列）を共用して、放射状に繰り返し配置されている。また、図７に示した色配列の変形として、ｈ＝２では、図８に示すように、単位格子である座標（０，８）の位置を頂角とする菱形の枠状配列Ｗ２が、最外周の枠状配列を共用して、放射状に繰り返し配置され、ｈ＝３では、図９に示すように、単位格子である座標（０，１２）の位置を頂角とする菱形の枠状配列Ｗ３が、最外周の枠状配列を共用して、放射状に繰り返し配置されている。
【００３３】
この実施の形態による二次元カラー固体撮像素子によれば、|ｍ|＝|ｎ|＝４ｈで囲まれる領域を単位格子とし、この単位格子を複数有して色配列が構成されることで、第１の感光素子Ｇが単一の斜め方向へ連続する配列であることを緩和し、斜め方向に生じやすい固定パターンノイズが防止される。また、自然数ｈを２，３…と増加させることで、連続して同色が繋がる長さが短縮でき、画像品質の低下を更に小さくできる。
【００３４】
次に、上記の二次元カラー固体撮像素子を電荷結合型カラー固体撮像素子、ＭＯＳ型カラー撮像素子に適用した場合の具体的な構成を説明する。
図１０は電荷結合型カラー固体撮像素子の構成を（ａ）、ＭＯＳ型カラー撮像素子の構成を（ｂ）に表した具体例の説明図である。
二次元カラー固体撮像素子が電荷結合型固体撮像素子（カラーＣＣＤ）１００である場合、図１０（ａ）において、受光領域１１には、図１に示した第１の感光素子Ｇが、緑色（Ｇ）の波長帯域に対して受光感度を有する感光素子とし、色相抽出用の第２、第３の感光素子Ｒ，Ｂが、赤色（Ｒ）の波長帯域に対して受光感度を有する感光素子と、青色（Ｂ）の波長帯域に対して受光感度を有する感光素子として形成されている。
【００３５】
これらの感光素子Ｇ，Ｒ，Ｂは、それら自体が各分光感度特性を有する感光素子で形成されたり、同一の感光特性を有するフォトダイオード等の受光エレメント上に、各分光感度特性を有する色フィルタを積層することによって形成されている。
【００３６】
各感光素子Ｇ，Ｒ，Ｂの隣りに不図示のトランスファゲートを介して垂直電荷転送路が形成され、垂直電荷転送路の上面に多数の転送電極が積層されている。垂直転送回路から所定の転送電極に供給される駆動回路１３等からの垂直転送駆動信号に同期して、各感光素子Ｇ，Ｒ，Ｂの画素信号が各垂直電荷転送路によって垂直転送される。
【００３７】
各垂直電荷転送路の終端部に水平電荷転送路１５が形成されており、各垂直電荷転送路から垂直転送されてきた各画素信号を、駆動回路１３より供給される２相駆動方式等の水平転送駆動信号に同期して水平転送することにより画素信号を読み出す。
【００３８】
このように、感光素子Ｇ，Ｒ，Ｂを、それぞれ緑色（Ｇ），赤色（Ｒ），青色（Ｂ）の波長帯域に対して分光感度を有する感光素子にすることで、三原色の二次元カラー固体撮像素子を実現することができ、緑（Ｇ）の感光素子から輝度成分を取ることによって、水平解像度及び垂直解像度の高い輝度成分が得られる。
【００３９】
一方、二次元カラー固体撮像素子がＣＭＯＳ型固体撮像素子２００である場合、図１０（ｂ）において、受光領域１１には、図１に示した感光素子Ｇが、緑色（Ｇ）の波長帯域に対して受光感度を有する感光素子として、色相抽出用の感光素子Ｒ，Ｂが、赤色（Ｒ）の波長帯域に対して受光感度を有する感光素子と、青色（Ｂ）の波長帯域に対して受光感度を有する感光素子として形成されている。
【００４０】
これらの感光素子Ｇ，Ｒ，Ｂは、それら自体が各分光感度特性を有する感光素子で形成されたり、同一の感光特性を有するフォトダイオード等の受光エレメント上に、各分光感度特性を有する色フィルタを積層することによって形成されている。
【００４１】
この受光領域１１に対して、不図示の垂直走査回路及び水平走査回路と、選択回路１７が設けられている。更に、各感光素子Ｇ，Ｒ，Ｂは、垂直走査回路より延設された選択線と選択回路１７より延設された呼出し線１９との間に介設されたスイッチング素子に接続されている。
【００４２】
そして、垂直走査回路が、所定の垂直走査タイミングに同期した垂直走査信号を各選択線に供給することにより感光素子Ｇ，Ｒ，Ｂを選択し、更に、水平走査回路が所定の水平走査タイミングに同期した水平走査信号で選択回路１７中のスイッチング素子を順次にオン・オフ動作させることにより、上記の各選択線で選択された感光素子Ｇ，Ｒ，Ｂに生じている各画素信号が、各呼出し線１９を通じて外部へ読み出される。
【図面の簡単な説明】
【００４３】
【図１】本発明に係る二次元カラー固体撮像素子の受光領域を模式的に表した要部拡大平面図である。
【図２】図１に示す感光素子を二次元直交座標上で表した説明図である。
【図３】図１に示した第１の感光素子のみの色配列を模式的に表した要部拡大平面図である。
【図４】図１に示した第２の感光素子と第３の感光素子との色配列を模式的に表した要部拡大平面図である。
【図５】図４に示した第２の感光素子のみの色配列を模式的に表した要部拡大平面図である。
【図６】図４に示した第３の感光素子のみの色配列を模式的に表した要部拡大平面図である。
【図７】ｈ＝１の場合の第１、第２及び第３の感光素子の色配列を模式的に表した要部拡大平面図である。
【図８】ｈ＝２の場合の第１、第２及び第３の感光素子の色配列を模式的に表した要部拡大平面図である。
【図９】ｈ＝３の場合の第１、第２及び第３の感光素子の色配列を模式的に表した要部拡大平面図である。
【図１０】電荷結合型カラー固体撮像素子の構成を（ａ）、ＭＯＳ型カラー撮像素子の構成を（ｂ）に表した具体例の説明図である。
【図１１】従来の市松配列された二次元カラー撮像素子の受光領域の構成を示す説明図である。
【符号の説明】
【００４４】
１１  受光画素
１００  電荷結合型固体撮像素子
２００  ＣＭＯＳ型固体撮像素子
Ｂ  第３の感光素子
Ｇ  第１の感光素子
Ｒ  第２の感光素子
Ｗ１，Ｗ２，Ｗ３  単位格子
【図１】
0004662883.tif 000002
【図２】
0004662883.tif 000003
【図３】
0004662883.tif 000004
【図４】
0004662883.tif 000005
【図５】
0004662883.tif 000006
【図６】
0004662883.tif 000007
【図１０】
0004662883.tif 000008
【図７】
0004662883.tif 000009
【図８】
0004662883.tif 000010
【図９】
0004662883.tif 000011
【図１１】
0004662883.tif 000012